(57)【要約】【課題】ケースのフラップ部の開閉作動に連動して、該ケース内に収容された収容対象物の蓋部を開閉可能とする収容ケースを提供することにある。【解決手段】上端３を開放したボックス型本体２と、前記本体２の背面４にのみ連結されると共に該連結部分６を支点にして前記本体２の上端３を開閉可能とする蓋部７とで構成されたボックス型の収容対象物１を収容する収容ケース１４であって、該ケース１４は、上端１６を開放した収容部１５と、該収容部１５の背面１９にのみ連結されて前記収容部１５の上端１６を開閉可能とするフラップ部２４とで構成され、該フラップ部２４には、前記収容対象物１の蓋部７に係止し、該フラップ部２４の開閉作動に連係して前記収容対象物１の蓋部７を開閉させる一個乃至複数個の係止部材２６が備えられている。【選択図】        図１
2005204561.tif 000002
【特許請求の範囲】
【請求項１】
上端を開放したボックス型本体と、前記本体の背面にのみ連結されると共に該連結部分を支点にして前記本体の上端を開閉可能とする蓋部とで構成されたボックス型の収容対象物を収容する収容ケースであって、
該ケースは、上端を開放した収容部と、
該収容部の背面にのみ連結されて前記収容部の上端を開閉可能とするフラップ部とで構成され、
該フラップ部には、前記収容対象物の蓋部に係止し、該フラップ部の開閉作動に連係して前記収容対象物の蓋部を開閉させる一個乃至複数個の係止部材が備えられていることを特徴とする収容ケース。
【請求項２】
係止部材はフラップ部の裏面に配設されており、収容部に収容対象物を収容し、前記フラップ部を閉じた状態で、前記収容対象物の蓋部内面方向に挿入されると共に、該蓋部を前記フラップ部裏面方向へと押圧する係止片を備えていることを特徴とする請求項１に記載の収容ケース。
【請求項３】
係止部材は、フラップ部の裏面に一端側が固定され、弾性力により常に前記フラップ部裏面方向へと係止片が付勢されていることを特徴とする請求項２に記載の収容ケース。
【請求項４】
収容対象物は、複数本のシガレットを収容したハードボックスであることを特徴とする請求項１乃至３のいずれかに記載の収容ケース。
【請求項５】
シガレットケースであることを特徴とする請求項４に記載の収容ケース。
【発明の詳細な説明】
【技術分野】
【０００１】
本発明は、例えば複数本のシガレット（紙巻タバコ）の梱包形態としてのハードボックス（外包み）等、すなわち上端を開放したボックス型本体と、前記本体の背面上端とのみ連結されると共に該連結部分を支点にして前記本体の上端を開閉可能とする蓋部とで構成された収容対象物を収容する収容ケースに関する。
【背景技術】
【０００２】
昨今、男性の喫煙者が減少している反面、女性の喫煙者が増えているという現象が見られる。また、複数本のシガレットの梱包形態としては、ソフトボックスタイプよりもハードボックスタイプを好む喫煙者が増えている。
近年、特に年齢層の低い女性喫煙者の間では、複数本のシガレットを梱包収容しているハードボックス（上端を開放したボックス型本体と、前記本体の背面上端とのみ連結されると共に該連結部分を支点にして前記本体の上端を開閉可能とする蓋部とで構成されている）を裸のまま所持することがまれで、専用のシガレットケース若しくは小型のポシェットなどの小物入れにライターと一緒に入れて所持していることが多い。
【０００３】
従来この種のシガレットケースなどは、がま口タイプや、フラップを開閉するタイプなど多種多様にある（例えば特許文献１,２参照）が、ハードボックスタイプの収容対象物を、そのボックスごとケース内に収容するだけで、シガレットを吸う場合には、まずケースを開蓋し、次に収容対象物の蓋を開蓋してシガレットを取り出していた。
【特許文献１】登録実用新案第３０１５９４４号
【特許文献２】実開平６−６０３９９号公報
【発明の開示】
【発明が解決しようとする課題】
【０００４】
ソフトボックスタイプの場合、該ボックスを収容しているシガレットケースの口を開けたり、蓋を開けば、すぐにシガレットを抜き出すことができるが、上述のようにハードボックスタイプにあっては、シガレットケースの口を開けたり、蓋を開けた後に、さらにボックスの蓋を開けなければシガレットが抜き出せず大変面倒で使用勝手があまり良くないものが多かった。
そこで、ハードボックスを収容した場合であっても、シガレットケースのフラップ部を開ければ、ボックス内のシガレットをすぐに抜き出すことができないものかとのニーズが需要者（シガレットケース利用喫煙者）間で高まっている。
【０００５】
本発明は、従来技術の有するこのよう問題点に鑑みなされたもので、その目的とするところは、フラップ部には、前記収容対象物の蓋部に係止し、該フラップ部の開閉作動に連係して前記収容対象物の蓋部を開閉させる一個乃至複数個の係止部材が備えられ、ケースのフラップ部の開閉作動に連動して、該ケース内に収容された収容対象物の蓋部を開閉可能とする収容ケースを提供することにある。
【課題を解決するための手段】
【０００６】
前記課題を解決する第１の発明は、上端を開放したボックス型本体と、前記本体の背面にのみ連結されると共に該連結部分を支点にして前記本体の上端を開閉可能とする蓋部とで構成されたボックス型の収容対象物を収容する収容ケースであって、該ケースは、上端を開放した収容部と、該収容部の背面にのみ連結されて前記収容部の上端を開閉可能とするフラップ部とで構成され、該フラップ部には、前記収容対象物の蓋部に係止し、該フラップ部の開閉作動に連係して前記収容対象物の蓋部を開閉させる一個乃至複数個の係止部材が備えられていることを特徴とする収容ケースとした点にある。
【０００７】
第２の発明は、第１の発明において、係止部材はフラップ部の裏面に配設されており、収容部に収容対象物を収容し、前記フラップ部を閉じた状態で、前記収容対象物の蓋部内面方向に挿入されると共に、該蓋部を前記フラップ部裏面方向へと押圧する係止片を備えていることを特徴とする収容ケースとした点にある。
【０００８】
第３の発明は、第２の発明において、係止部材は、フラップ部の裏面に一端側が固定され、弾性力により常に前記フラップ部裏面方向へと係止片が付勢されていることを特徴とする収容ケースとした点にある。
【０００９】
第４の発明は、第１乃至第３のいずれかの発明において、収容対象物は、複数本のシガレットを収容したボックス型のハードケースであることを特徴とする収容ケースとした点にある。
【００１０】
第５の発明は、第４の発明において、収容ケースをシガレットケースとした点にある。
【発明の効果】
【００１１】
本発明は、ケースのフラップ部の開閉作動に連動して、該ケース内に収容された収容対象物の蓋部を開閉可能とする収容ケースを提供することができる。
【発明を実施するための最良の形態】
【００１２】
以下、本発明を実施するための最良の形態について図面を参照しつつ詳細に説明する。なお、本実施例は、本発明の一実施例にすぎずなんらこれに限定解釈されるものではなく、本発明の範囲内で設計変更可能である。
【実施例１】
【００１３】
本実施例では、例えば、上端３を開放したボックス型本体２と、前記本体２の背面４上端とのみ連結されると共に該連結部分６を支点にして前記本体２の上端３を開閉可能とする蓋部７とで構成され、複数本のシガレット（紙巻タバコ）Ｓ１，Ｓ２…を梱包するハードケース（外包み）を収容対象物１とし、該収容対象物１を収容する本発明収容ケース１４の一例として、図に示すシガレットケースを挙げて説明する。
なお、本発明収容ケース１４はシガレットケースに限定されるものではなく、上述のようにボックス型本体２と開閉可能な蓋部７を備えた任意の収容対象物１を収容するものであれば本発明の範囲内で他の収容対象物を収容する任意の収容ケースが適宜採用される。
【００１４】
収容ケース１４は、例えば所望な布材を用いて一体的に成形されている収容部１５とフラップ部２４と、該フラップ部２４の裏面２５側に配設されている係止部材２６で構成されている。なお、本発明の収容ケース１４は、布材の他、皮革材、紙材、又は軟質若しくは硬質樹脂材など任意の材料を用いて成形可能である。
【００１５】
なお、本発明において特に限定される構成ではないが、本実施例では、図３（ａ）で示すように、収容部１５の背面１９に、通勤定期券などを出し入れ自在に収容するポケット状のカード入れ３６を備えて付加価値を向上させている。図中、３７はカード出し入れ口、３８はカードスライド操作穴を夫々示す。
【００１６】
収容部１５は、上端１６を開放した内部中空状に形成される断面視矩形状のボックス型とし、収容対象物１よりも僅かに短尺に形成する。なお、収容部１５の形状は、収容対象物１の形状に合わせて適宜設計変更可能で図示した本実施例形状に限定解釈されるものではない。但し、フラップ部２４を開蓋した際に、収容対象物１の蓋部７の開閉に支障のない形状、すなわち、例えば少なくとも収容対象物１の蓋部先端８の開口縁９よりも収容部１５の開口１７の前面縁１８が下位に位置するか、両縁９,１８が同一平面上に位置するものとする。
【００１７】
フラップ部２４は、前記収容部１５の背面１９にのみ連結されて前記収容部１５の上端１６を開閉可能とする任意の形状からなるものであって、本実施例では、収容部１５の背面１９から、該背面１９と同一幅で一体的に延設されている長尺矩形板状に形成されており、閉蓋時には、収容部１５内に収容された収容対象物１の上端を覆って、その先端３９が収容部前面（正面）２０の開口前面縁１８よりも下方に位置すると共に、該収容部前面２０と接している。なお、本実施例では、図に示すように、収容部開口１７の側面２１を開放せしめているが、この側面２１部分も覆う構成とすることも可能で本発明の範囲内である。なお、図中２３は、収容部背面１９とフラップ部２４の連結部分を示す。
【００１８】
閉蓋時のフラップ部先端３９位置は、収容対象物１を覆う程度の長さ位置であれば特に限定されず、収容部前面２０の任意位置、若しくは収容部下面２２に周って位置する構成とするものであってもよく任意である。
【００１９】
そして、このフラップ部２４の裏面２５側には、前記収容対象物１の蓋部７に係止し、該フラップ部２４の開閉作動に連係して前記収容対象物１の蓋部７を開閉させる一個乃至複数個の係止部材２６が備えられている。
【００２０】
係止部材２６は、収容対象物１の蓋部７に係止可能な構成を有しており、例えば本実施例では、フラップ部２４の裏面２５に配設され、収容部１５に収容対象物１を収容し、前記フラップ部２４を閉じた状態で、前記収容対象物１の蓋部先端８の開口縁９から該蓋部７の内面方向に挿入されると共に、該蓋部７を前記フラップ部裏面２５方向へと押圧する係止片３０を備えている。
【００２１】
本実施例の係止部材２６は、フラップ部２４を閉じた状態で、収容部１５の前面縁１８よりも下方位置に位置するフラップ部２４の裏面２５に固着片（一端側）２７がリベット２８にて固定され、該固着片２７の他端に備えた軸支部分２９に軸着されると共に、内装された図示しないバネ部材の弾性力により、常に前記フラップ部裏面２５方向へと付勢される係止片３０が、フラップ部２４の閉じた状態で前記固着片２７よりも上方に位置するように設けられて構成されている。なお、本実施例では、図２に示すように、フラップ部２４の表側に現れる部分に装飾部材３２を備えたリベット（飾り鋲）を用いて装飾性を向上させている。
【００２２】
本実施例では、少なくとも軸着されている係止片３０の基端３１が、収容対象物１の蓋部開口縁９と同一平面上若しくは該蓋部開口縁９よりも僅かに下方に位置するように設計されている。
係止片３０は、本実施例では横長状の硬質平板部材により構成されているが、その形状に何等限定されるものでなく、前記収容対象物１の蓋部７の内面方向に所望長さ挿入可能な構成を有していればよい。
【００２３】
係止部材２６は、本実施例では、弾性力を介して係止片３０が収容対象物１の蓋部裏面１０をフラップ部裏面２５方向へと押圧して強制的に固着させるものとしているが、このような弾性力を介することなく、単に収容対象物１の蓋部開口縁９から挿入し、該蓋部７を挟持する差込隙間を係止片３０とフラップ部裏面２５との間に設けた構成を採用することも可能である。
なお、本実施例では、フラップ部２４の裏面２５側に単一の係止部材２６を備える構成を採用しているが、係止部材２６の配設個数は特に限定はされず、複数個配設するものであってもよく本発明の範囲内で設計変更可能である。
【００２４】
本実施例によれば、まず、収容部１５内に収容対象物（複数本のシガレットＳ１，Ｓ２…を収容したハードケース）１を収容する。
次に、収容対象物１を覆うようにフラップ部２４を閉じると共に、該フラップ部裏面２５に存する係止部材２６の係止片３０を、その弾性力に抗して引き上げ、そしてその状態で収容対象物１の蓋部開口縁９から蓋部７内方へと係止片３０を挿入する。
そして、弾性力に抗して係止片３０を押さえていた力を解除することにより、その係止片３０はフラップ部裏面２５方向へと戻るため、その戻り方向への押す力により蓋部７をフラップ部裏面２５方向へと押圧係止する。
このようにすることで、フラップ部２４と収容対象物１の蓋部７が一体的に係止されるため、需要者がシガレットＳ１，Ｓ２…を吸おうとしてフラップ部２４を開けることにより、該フラップ部２４の開蓋作動に伴って収容対象物１の蓋部７も一緒に開き、需要者はシガレットＳ１，Ｓ２…を容易に抜き出すことができる。
【００２５】
また、本実施例では、蓋部７の先端８の開口縁９から蓋部７内方に挿入されると共に、蓋部７内面に係止される係止片３０を備えた係止部材２６をもって説明したが、係止部材の一例にすぎず限定されない。
例えば、特に図示はしないが、収容部の開口側面部分（図中２１で示す部分）をも覆う構成としたフラップ部を備える形態とした場合には、上記構成の係止部材２６を、フラップ部の左右側面部分に夫々備える構成を採用することも可能である。
【実施例２】
【００２６】
さらに、例えば、複数本のシガレットＳ１，Ｓ２…を収容しているハードケースなど、収容対象物１の蓋部上面１１と側面１２の間に隙間１３が形成されている形態を有するものにあっては、図４に示す実施例２のように構成することも可能である。
本実施例では、フラップ部２４を閉じた状態で、収容対象物１の蓋部上面１１を覆うフラップ部２４上面の内面左右端に断面視コの字状の係止部材３３をスライド自在に備え、該係止部材３３の係止片３４を収容対象物１の蓋部上面１１と側面１２の間に形成されている隙間１３に差込み係止させる構成としている。このように構成するものとしても、フラップ部２４と収容対象物１の蓋部７が一体的に係止されるため、フラップ部２４の開閉作動に連動して蓋部７を開閉作動させることができ本発明の範囲内である。図中３５は、係止部材３３の長穴、３６は該長穴３５に挿入されると共に、係止部材３３をスライド自在に保持するリベットである。その他の構成、作用効果にあっては実施例１と同様であるためここでの説明は省略する。
【図面の簡単な説明】
【００２７】
【図１】実施例１の収容ケースに収容対象物を収容し、フラップ部と収容対象物の蓋部が同時に開いた状態を示す斜視図。
【図２】フラップ部を閉じた状態を示す斜視図。
【図３】（ａ）は縦断側面図、（ｂ）はフラップ部と収容対象物の蓋部が同時に開いた状態を示す側面図。
【図４】実施例２を示す要部拡大断面図。
【符号の説明】
【００２８】
１：収容対象物（ハードケース）
２：ボックス本体
７：蓋部
１４：収容ケース
１５：収容部
２４：フラップ部
２６：係止部材
３０：係止片
Ｓ１，Ｓ２：シガレット
【図１】
2005204561.tif 000003
【図２】
2005204561.tif 000004
【図３】
2005204561.tif 000005
【図４】
2005204561.tif 000006